(57)【要約】      （修正有）【課題】基礎コンクリートに複数個形成されるアンカー孔を正しく位置決めして形成することができるアンカー孔の位置決め具を提供する。【解決手段】基礎型枠４０に架け渡すことができる４本の直線状のプレートＰと、当該プレートＰの下側に筒状のシース管３０を配置して固定するためのシース管保持具２０と、から構成され、前記各プレートＰは、互いに適宜の位置にて井桁状に組み合わせた状態で固定でき、異なる大きさの基礎型枠４０の上に取り付けできるとともに、径の異なる円周上の形成位置にも対応できるように、各プレートＰの適宜の位置に前記シース管保持具２０を取り付けできるようにした、円周上に配置されるアンカー孔を基礎コンクリート５０に形成する際に適したアンカー孔の位置決め具１である。【選択図】図１
2019183520.tif 000002
【特許請求の範囲】
【請求項１】
建物の免震装置を基礎コンクリート上に固定するため円周上に複数個正確に配置されるべきアンカー孔を基礎コンクリートに形成する際に適したアンカー孔の位置決め具であって、
基礎型枠の向き合った部分に架け渡すことができる長さを有する４本の直線状のプレートと、
当該プレートの下側に筒状のシース管を配置して固定するためのシース管保持具と、
から構成されており、
前記各プレートは、４本の直線状のプレートを互いに適宜の位置にて井桁状に組み合わせた状態で固定することができ、
異なる大きさの基礎型枠の上に取り付けできるとともに、径の異なる円周上に複数個配置されるべきアンカー孔の形成位置にも対応できるように、各プレートの適宜の位置に前記シース管保持具を取り付けできることを特徴とするアンカー孔の位置決め具。
【請求項２】
前記各プレートは、互いに直交する状態で固定できるように、その長手方向と直交する面を有する交差ガイドが上方又は下方に突出するように固定されているものであることを特徴とする請求項１に記載のアンカー孔の位置決め具。
【請求項３】
前記各プレートは、互いに適宜の位置にて井桁状に組み合わせるため、及び、異なる大きさの基礎型枠の上に取り付けるため、複数個のボルト挿通孔を有しているものであることを特徴とする請求項１又は２に記載のアンカー孔の位置決め具。
【請求項４】
前記シース管保持具は、４枚の板材を十字状又はＸ字状に組み付けることで形成されており、当該板材の外端面にてシース管の内面を支えることができ、かつ、上下方向に配置したボルトによってシース管の下端開口を塞ぐ底板を固定することができるものであることを特徴とする請求項１〜３の何れか一項に記載のアンカー孔の位置決め具。
【請求項５】
前記シース管保持具は、円盤状のディスクの周囲に形成した切欠に前記板材を嵌め込むことで、４枚の前記板材の外端面が円筒状のシース管の内面と正しく接するように、それらの前記板材を固定しているものであることを特徴とする請求項４に記載のアンカー孔の位置決め具。
【請求項６】
前記シース管保持具は、前記４枚の板材の内端面が互いに接しないように離間して配置されることで、中央部に空間が形成されており、
前記円盤状のディスクは、その中央部に透孔が形成されており、当該透孔及び前記空間に挿通されるボルトによって、シース管の下端開口を塞ぐ底板を固定することができるものであることを特徴とする請求項５に記載のアンカー孔の位置決め具
【請求項７】
前記ボルトは、その上端部側が前記プレートに固定されることで、前記シース管保持具を前記プレートに固定できるものであることを特徴とする請求項４〜６の何れか一項に記載のアンカー孔の位置決め具。
【請求項８】
前記シース管保持具は、シース管の上端開口を塞ぐように、前記各板材の上端に固定した天板を有しており、当該天板は、その中央部に前記ボルトを挿通できる透孔を備えており、かつ、当該天板の上面にスペーサーを備えていることを特徴とする請求項６又は７に記載のアンカー孔の位置決め具。
【発明の詳細な説明】
【技術分野】
【０００１】
本発明は、建物の免震装置などを固定するために基礎コンクリートに複数個形成されるアンカー孔を正しく位置決めして形成することができるアンカー孔の位置決め具に関するものである。
【背景技術】
【０００２】
従来、図４に示すように、建物の免震装置６０を正しく設置するためには、免震装置６０のアンカーボルト６１を正しい位置にて固定する必要があり、そのためにはコンクリート製の基礎５０に複数個形成されるアンカー孔Ｈを正しく位置決めして形成する必要がある。
そこで、免震装置を固定するためのアンカー孔を正しく位置決めして形成する際に用いる治具として、プレートにワインディングパイプ（箱抜きのための円筒状の部材であって、本願発明の「シース管」に相当するもの）を固定する発明などが提案されている（特許文献１〜３）。
【０００３】
特許文献１に記載の「位置決め治具」においては、環状のプレートの下面にワインディングパイプを固定する構成を採用しているため、円周上にアンカー孔を正確に形成することは可能であるが、ａ）プレートが大型になり重量が増大する、ｂ）径の異なる円周上にアンカー孔を形成することに対応し難い、ｃ）深いアンカー孔に対応する長いワインディングパイプを正しい位置に固定することができない（位置がズレ易い）などという問題がある。
【０００４】
特許文献２に記載の「シース管を用いた柱脚用アンカーボルト定着方法」においては、ａ）四角枠状に組み付けたアングル材及びそのアングル材に固定した支柱を基礎に埋めてしまうため再利用ができない、ｂ）シース管の固定に手間がかかる、ｃ）コンクリートを打設する際にシース管の固定位置がズレ易いなどという問題がある。
【０００５】
特許文献３に記載の「アンカー孔形成装置」においては、円周上にアンカー孔を正確に形成することができないという問題がある。
特許文献４に記載の「シース管」においても、円周上にアンカー孔を正確に形成することができないという問題がある。
【先行技術文献】
【特許文献】
【０００６】
【特許文献１】特開２００８−１４４４２５号公報
【特許文献２】特許第５０１３５６５号公報
【特許文献３】特許第３９６５０７４号公報
【特許文献４】特開２０００−７３３７６号公報
【発明の概要】
【発明が解決しようとする課題】
【０００７】
本発明は、コンクリート製の基礎に複数個のアンカー孔を円周上に配置して形成する場合に、シース管を正しく位置決めして固定することができないという上記問題を解決するために為されたものであって、本発明の目的は、円周上にアンカー孔を正確に配置して形成することができ、異なる大きさの基礎型枠の上に取り付けできるとともに、径の異なる円周上に複数個配置されるべきアンカー孔であっても正確な位置に形成することができるアンカー孔の位置決め具を提供することにある。
本発明の他の目的は、シース管の固定が容易であり、正しく位置決めされたシース管の形状を維持しつつ当該シース管の固定位置を確実に維持することができ、再利用もできるアンカー孔の位置決め具を提供することにある。
【課題を解決するための手段】
【０００８】
（１）本発明は、『建物の免震装置を基礎コンクリート上に固定するため円周上に複数個正確に配置されるべきアンカー孔を基礎コンクリートに形成する際に適したアンカー孔の位置決め具であって、基礎型枠の向き合った部分に架け渡すことができる長さを有する４本の直線状のプレートと、当該プレートの下側に筒状のシース管を配置して固定するためのシース管保持具と、から構成されており、
前記各プレートは、４本の直線状のプレートを互いに適宜の位置にて井桁状に組み合わせた状態で固定することができ、異なる大きさの基礎型枠の上に取り付けできるとともに、径の異なる円周上に複数個配置されるべきアンカー孔の形成位置にも対応できるように、各プレートの適宜の位置に前記シース管保持具を取り付けできることを特徴とするアンカー孔の位置決め具。』を最も主要な特徴とする。
（２）本発明のアンカー孔の位置決め具は、前記各プレートが、互いに直交する状態で正しく固定できるように、その長手方向と直交する面を有する交差ガイドが上方又は下方に突出するように固定されているものであってもよい。
【０００９】
（３）本発明のアンカー孔の位置決め具は、前記各プレートが、互いに適宜の位置にて井桁状に組み合わせることができるように、及び、異なる大きさの基礎型枠の上に取り付けることができるように、複数個のボルト挿通孔を有しているものであってもよい。
（４）本発明のアンカー孔の位置決め具は、前記シース管保持具が、４枚の板材を十字状又はＸ字状に組み付けることで形成されており、当該板材の外端面にてシース管の内面を支えることができ、かつ、上下方向に配置したボルトによってシース管の下端開口を塞ぐ底板を固定することができるものであってもよい。
（５）本発明のアンカー孔の位置決め具は、前記シース管保持具が、円盤状のディスクの周囲に形成した切欠に前記板材を嵌め込むことで、４枚の前記板材の外端面が円筒状のシース管の内面と正しく接するように、それらの前記板材を固定しているものであってもよい。
【００１０】
（６）本発明のアンカー孔の位置決め具は、前記シース管保持具が、前記４枚の板材の内端面が互いに接しないように離間して配置されることで、中央部に空間が形成されており、前記円盤状のディスクが、その中央部に透孔が形成されており、当該透孔及び前記空間に挿通されるボルトによって、シース管の下端開口を塞ぐ底板を固定することができるものであってもよい。
（７）本発明のアンカー孔の位置決め具は、前記ボルトが、その上端部側が前記プレートに固定されることで、前記シース管保持具を前記プレートに固定できるものであってもよい。
（８）本発明のアンカー孔の位置決め具は、前記シース管保持具が、シース管の上端開口を塞ぐように、前記各板材の上端に固定した天板を有しており、当該天板が、その中央部に前記ボルトを挿通できる透孔を備えており、かつ、当該天板の上面にスペーサーを備えているものであってもよい。
【発明の効果】
【００１１】
上記構成を採用したことにより、本発明のアンカー孔の位置決め具は、プレート同士を井桁状に組み付ける位置を変更することで、複数個のアンカー孔を形成する位置に柔軟かつ正確に対応することができ、軽量コンパクトな必要最小限の構成部品にて異なる大きさの型枠（基礎コンクリート）にも対応することができる。
なお、本発明のアンカー孔の位置決め具は、アンカー孔を正四角形上に複数個配置して基礎コンクリートに形成する際などにも使用できる。
本発明のアンカー孔の位置決め具のプレートが、交差ガイドを有する場合には、直線状のプレート同士を正確に直交させた状態で確実に固定することができ、ひいてはアンカー孔の正しい形成位置を確実に維持することができる。
本発明のアンカー孔の位置決め具のプレートが、複数個のボルト挿通孔を有している場合には、プレート同士の組み付け位置の選定や変更が容易であり、異なる大きさの基礎型枠にも柔軟に対応することができる。
【００１２】
本発明のアンカー孔の位置決め具のシース管保持具が、４枚の板材を十字状又はＸ字状に組み付けることで形成されている場合には、シース管の変形を効果的に防止することができ、かつ、上下方向に配置したボルトによってシース管の下端開口を塞ぐ底板を固定することができる場合には、正しい形状のアンカー孔を簡単かつ確実に形成することができる。
さらに、前記シース管保持具の前記板材が、円盤状のディスクの周囲に形成した切欠に嵌め込まれている場合には、４枚の前記板材の外端面の位置を円筒状のシース管の内径と一致させた正確な位置にて各板材を簡単かつ確実に固定することができる。
【００１３】
本発明の前記シース管保持具が、中央部に空間を有し、前記円盤状のディスクの中央部に形成された透孔及び前記空間にボルトを挿通できる場合には、１本のボルトによってバランス良く、簡単かつ確実にシース管の下端開口を塞ぐ底板を固定することができる。
本発明のアンカー孔の位置決め具は、上下方向に配置した前記ボルトによって前記シース管保持具をプレートに固定できる場合には、部品点数を増大させること無く簡単に前記シース管保持具をプレートに固定することができる。
さらに、本発明のアンカー孔の位置決め具は、前記シース管保持具が天板を有しており、当該天板の透孔に前記ボルトを挿通でき、かつ、当該天板の上面にスペーサーを備えている場合には、プレートとシース管保持具との間隔を調整するとともに、シース管保持具を安定した正しい姿勢でプレートに対して固定することができる。
【図面の簡単な説明】
【００１４】
【図１】図１は、本発明の一実施形態のアンカー孔の位置決め具の使用状態を示す図であって、（Ａ）は基礎型枠上に取り付けた状態を示す斜視図、（Ｂ）は部分縦断面図である。
【図２】図２は、本発明の一実施形態のアンカー孔の位置決め具のシース管保持具の構成部品を示す斜視図である。
【図３】図３は、本発明の一実施形態のアンカー孔の位置決め具を基礎型枠上に取り付けた状態を示す平面図である。
【図４】図４は、基礎コンクリートを示す図であって、（Ａ）は免震装置を固定した状態を示す部分縦断面図、（Ｂ）はアンカー孔の配置を示す平面図である。
【発明を実施するための形態】
【００１５】
本発明は、建物の免震装置を基礎コンクリート上に固定するため円周上に複数個正確に配置されるべきアンカー孔を基礎コンクリートに形成する際に適したアンカー孔の位置決め具であって、基礎型枠の向き合った部分に架け渡すことができる長さを有する４本の直線状のプレートと、当該プレートの下側に筒状のシース管を配置して固定するためのシース管保持具と、から構成されており、前記各プレートは、４本の直線状のプレートを互いに適宜の位置にて井桁状に組み合わせた状態で固定することができ、異なる大きさの基礎型枠の上に取り付けできるとともに、径の異なる円周上に複数個配置されるべきアンカー孔の形成位置にも対応できるように、各プレートの適宜の位置に前記シース管保持具を取り付けできることを特徴とするアンカー孔の位置決め具であって、以下において説明する実施形態などにより好適に実施することができる。
【００１６】
本発明の一実施形態のアンカー孔の位置決め具１は、図４に示すようなゴムと鋼板を円柱状に積層した免震装置６０などを基礎コンクリート５０上に固定するため、円周上に複数個正確に配置されるべきアンカー孔Ｈを基礎コンクリート５０に形成する際に適したアンカー孔の位置決め具１である。
そして、本実施形態のアンカー孔の位置決め具１は、図１に示すように、前記基礎型枠４０の向き合った部分に架け渡すことができる長さを有する４本の直線状のプレートＰと、当該プレートＰの下側に円筒状のシース管３０を配置して固定するためのシース管保持具２０と、から構成されている。
【００１７】
前記各プレートＰは、入手が容易であり剛性を確保できる所定長さ（一例として１９０ｃｍ）の等辺山形鋼から構成されており、前記各プレートＰは、４本の直線状のプレートＰを互いに適宜の位置にて井桁状に組み合わせた状態で固定用ボルト及びナットによって固定することができ、異なる大きさの基礎型枠４０の上に取り付けできるとともに、径の異なる円周上に複数個配置されるべきアンカー孔Ｈの形成位置にも対応できるように、各プレートＰの適宜の位置に前記シース管保持具２０を取り付けできるようになっている。
なお、前記プレートＰを組み合わせる際には、それらの平坦な面同士が接するようにして互いに固定する。
【００１８】
前記各プレートＰの長手方向中央部からやや離れた位置には、互いに直交する状態で前記各プレートＰを井桁状に固定できるように、その長手方向と直交する面を有する交差ガイド１１が上方又は下方に突出するように固定されている。
この交差ガイド１１は、一例として短い等辺山形鋼又はＬ字状の金具をプレートＰに溶接することで簡単に設けることができる。
【００１９】
さらに、前記各プレートＰは、互いに適宜の位置にて井桁状に組み合わせることができ、及び、異なる大きさの基礎型枠４０の上に取り付けることができるように、直交する２つの平坦な面に複数個のボルト挿通孔１２を有している。
なお、このボルト挿通孔１２は、内周面に雌ネジが形成されたものであってもよい。
そして、前記各プレートＰを基礎型枠４０の向き合った部分に架け渡した状態で、当該基礎型枠４０の上端部に前記各プレートＰを固定するために、当該前記各プレートＰの端部付近に設けたボルト挿通孔１２を利用して取付金具１３を固定することができる。
【００２０】
本発明の一実施形態の前記シース管保持具２０は、一例として上下方向に向けた４枚の金属製板材２１を十字状に組み付けることで形成されており、当該板材２１の外端面にて円筒状のシース管３０の内面を支えることができるようになっている。
従って、強度が低く形が歪みやすいシース管３０であっても、コンクリートの打設時においてシース管３０の形状を正しい円筒状に維持することができる。
本実施形態の前記シース管保持具２０は、円盤状のディスク２２の周囲に９０度離間して形成した４箇所の切欠２２ａに前記板材２１を嵌め込むことで、４枚の前記板材２１の外端面がシース管３０の内面と正しく接するように、それらの前記板材２１を位置決めして固定するようになっている。
【００２１】
さらに、本実施形態の前記シース管保持具２０は、前記４枚の板材２１の内端面が互いに接しないように離間して配置されることで、中央部に空間Ｓが形成されている。
また、前記円盤状のディスク２２には、その中央部に透孔２２ｂが形成されており、当該透孔２２ｂ及び前記空間Ｓに挿通される長尺状のボルト２３によって、シース管３０の下端開口を塞ぐ円盤状の底板２４を固定することができるようになっている。
【００２２】
本実施形態の前記シース管保持具２０は、シース管３０の上端開口を塞ぐように、前記各板材２１の上端に固定した天板２５を有している。この天板２５の周囲に９０度離間して形成した４箇所の切欠２５ａに前記板材２１の上端部を部分的に嵌め込むことで、４枚の前記板材２１を位置決めして固定するようになっている。
さらに、前記天板２５は、その中央部に前記ボルト２３を挿通できる透孔２５ｂを備えている。また、当該天板２５の上面中央部には、四角筒状の鋼材からなるスペーサー２６が固定されている。
このスペーサー２６は、前記プレートＰと前記シース管保持具２０との間隔を調整するとともに、前記プレートＰの下向きの部分を避けてシース管保持具２０を鉛直方向に安定して固定できるようにするためのものである。
【００２３】
そして、前記ボルト２３の上端部側が前記プレートＰの何れかに固定されることで、同時に、前記スペーサー２６の上端部が前記プレートＰの何れかに当接して固定されることで、前記シース管保持具２０を前記プレートＰの所定位置に固定できるようにしている。
このプレートＰの所定位置へのシース管保持具２０の固定は、既に形成してあるボルト挿通孔１２を利用するか、新たにボルト挿通孔１２を形成することで、簡単かつ確実に行うことができる。
【００２４】
上記構成された本発明の一実施形態のアンカー孔の位置決め具１は、図３（Ａ）〜（Ｃ）に示すように、異なる大きさの基礎型枠４０又は４１の上に取り付けできるとともに、径の異なる円周上に複数個配置されるべきアンカー孔Ｈの形成位置にも対応できるように、各プレートＰの適宜の位置に前記シース管保持具２０を取り付けできるようになっている。
なお、本発明のアンカー孔の位置決め具は、四角形上又は他の多角形上に正確に配置されるべきアンカー孔Ｈを形成する際にも好適に使用することができる。
また、本発明のアンカー孔の位置決め具は、円筒状又は多角筒状に組まれた基礎型枠などの上に配置して固定して使用することもできる。
【００２５】
本発明においては、図１（Ａ）に示すように、取付金具１３を用いてアンカー孔の位置決め具１のプレートＰを基礎型枠４０に固定した後、図１（Ｂ）に示すように、コンクリートを打設することで正確な位置にアンカー孔Ｈを有する基礎コンクリート５０を設けることができる。
コンクリートが硬化した後においては、シース管３０及び底板２４を基礎コンクリート中に残してプレートＰ及びシース管保持具２０を取り外すことができ、それらを再利用することができる。
そして、図４に示すように免震装置６０のアンカーボルト６１をアンカー孔Ｈに入れて免震装置６０を正確な位置に固定することができる。
なお、本発明のアンカー孔の位置決め具は、基礎コンクリートの上面中央部にもアンカー固定用の凹部を形成する際に（図１（Ｂ）参照）、方形又は円形などの箱抜き用の型枠を固定することも可能である。
【００２６】
上記構成された本発明の一実施形態のアンカー孔の位置決め具１は、保管時、運搬時においては、分解してコンパクトな形状にすることができる。
本発明は、上記実施形態の具体的な形態に限定されるものではなく、本発明の趣旨を逸脱しない範囲で、各部の配置、形状、サイズ、材質などを適宜変更して実施してもよい。
例えば、シース管保持具２０を構成する板材２１がシース管３０と接する部分の下側部分を、下端部ほど斜状に削った板材２１’を使用してシース管３０をシース管保持具２０に取り付け易くするようにしてもよい（図２参照）。
また、シース管保持具２０の４枚の板材２１は、Ｘ字状に組み付けてもよい。
【００２７】
本発明は、そのプレートとして、不等辺山形鋼、Ｉ形鋼、Ｈ形鋼、溝形鋼、角形鋼管を用いて実施したり、軽金属製、樹脂製又は木製の（棒状の）プレートを用いて実施してもよい。
さらに、本発明は、シース管保持具として樹脂製又は木製のものを用いたり、従来公知のものを用いて実施してもよい。
【産業上の利用可能性】
【００２８】
本発明のアンカー孔の位置決め具は、基礎コンクリートに複数のアンカー孔を正確に配置して形成する建築作業にて利用することができ、コンクリート建造物の建築産業において好適に利用することができる。
【符号の説明】
【００２９】
１    アンカー孔の位置決め具
１１    交差ガイド
１２    ボルト挿通孔
１３    取付金具
２０    シース管保持具
２１    板材
２１’  板材
２２    ディスク
２２ａ  切欠
２２ｂ  透孔
２３    ボルト
２４    底板
２５    天板
２５ａ  切欠
２５ｂ  透孔
２６    スペーサー
３０    シース管（箱抜きのための筒状の型枠、スリーブ、ワインディングパイプ）
４０    基礎型枠
４１    基礎型枠
５０    基礎コンクリート（コンクリート製の基礎）
６０    免震装置
６１    アンカーボルト
Ｈ    アンカー孔
Ｐ    プレート
Ｓ    空間
【図１】
2019183520.tif 000003
【図２】
2019183520.tif 000004
【図３】
2019183520.tif 000005
【図４】
2019183520.tif 000006
【手続補正書】
【提出日】令和1年5月9日(2019.5.9)
【手続補正１】
【補正対象書類名】明細書
【補正対象項目名】０００８
【補正方法】変更
【補正の内容】
【０００８】
（１）本発明は、『建物の免震装置を基礎コンクリート上に固定するため円周上に複数個正確に配置されるべきアンカー孔を基礎コンクリートに形成する際に適したアンカー孔の位置決め具であって、基礎型枠の向き合った部分に架け渡すことができる長さを有する等辺山形鋼又は不等辺山形鋼からなる４本の直線状のプレートと、当該プレートの下側に筒状のシース管を配置して固定するためのシース管保持具と、から構成されており、
前記各プレートは、４本の直線状のプレートに形成した複数個のボルト挿通孔によってそれらの平坦な面同士が接するようにして互いに適宜の位置にて井桁状に組み合わせた状態で固定することができ、異なる大きさの基礎型枠の上に取り付けできるとともに、正方形の４頂点上以外の複数位置を含む円周上、及び、径の異なる他の円周上においても同様に複数個配置されるべきアンカー孔の形成位置にも対応できるように、各プレートの適宜の位置に形成した複数個のボルト挿通孔によって前記シース管保持具を取り付けできることを特徴とするアンカー孔の位置決め具。』を最も主要な特徴とする。
（２）本発明のアンカー孔の位置決め具は、前記各プレートが、互いに直交する状態で正しく固定できるように、その長手方向と直交する面を有する交差ガイドが上方又は下方に突出するように固定されているものであってもよい。
【手続補正２】
【補正対象書類名】明細書
【補正対象項目名】０００９
【補正方法】変更
【補正の内容】
【０００９】
（３）本発明のアンカー孔の位置決め具は、前記シース管保持具が、４枚の板材を十字状又はＸ字状に組み付けることで形成されており、当該板材の外端面にてシース管の内面を支えることができ、かつ、上下方向に配置したボルトによってシース管の下端開口を塞ぐ底板を固定することができるものであってもよい。
（４）本発明のアンカー孔の位置決め具は、前記シース管保持具が、円盤状のディスクの周囲に形成した切欠に前記板材を嵌め込むことで、４枚の前記板材の外端面が円筒状のシース管の内面と正しく接するように、それらの前記板材を固定しているものであってもよい。
【手続補正３】
【補正対象書類名】明細書
【補正対象項目名】００１０
【補正方法】変更
【補正の内容】
【００１０】
（５）本発明のアンカー孔の位置決め具は、前記シース管保持具が、前記４枚の板材の内端面が互いに接しないように離間して配置されることで、中央部に空間が形成されており、前記円盤状のディスクが、その中央部に透孔が形成されており、当該透孔及び前記空間に挿通されるボルトによって、シース管の下端開口を塞ぐ底板を固定することができるものであってもよい。
（６）本発明のアンカー孔の位置決め具は、前記ボルトが、その上端部側が前記プレートに固定されることで、前記シース管保持具を前記プレートに固定できるものであってもよい。
（７）本発明のアンカー孔の位置決め具は、前記シース管保持具が、シース管の上端開口を塞ぐように、前記各板材の上端に固定した天板を有しており、当該天板が、その中央部に前記ボルトを挿通できる透孔を備えており、かつ、当該天板の上面にスペーサーを備えているものであってもよい。
【手続補正４】
【補正対象書類名】明細書
【補正対象項目名】００１１
【補正方法】変更
【補正の内容】
【００１１】
上記構成を採用したことにより、本発明のアンカー孔の位置決め具は、プレート同士を井桁状に組み付ける位置を変更することで、複数個のアンカー孔を形成する位置に柔軟かつ正確に対応することができ、軽量コンパクトな必要最小限の構成部品にて異なる大きさの型枠（基礎コンクリート）にも対応することができる。
なお、本発明のアンカー孔の位置決め具は、アンカー孔を正四角形上に複数個配置して基礎コンクリートに形成する際などにも使用できる。
本発明のアンカー孔の位置決め具のプレートが、交差ガイドを有する場合には、直線状のプレート同士を正確に直交させた状態で確実に固定することができ、ひいてはアンカー孔の正しい形成位置を確実に維持することができる。
本発明のアンカー孔の位置決め具のプレートは、複数個のボルト挿通孔を有しているため、プレート同士の組み付け位置の選定や変更が容易であり、異なる大きさの基礎型枠にも柔軟に対応することができる。
さらに、本発明の４本の直線状のプレートが、等辺山形鋼又は不等辺山形鋼からなり、それらの平坦な面同士が接するようにして互いに適宜の位置にて固定する場合には、入手が容易で剛性を確保でき、正確さに優れたものとすることができる。
【手続補正５】
【補正対象書類名】特許請求の範囲
【補正対象項目名】全文
【補正方法】変更
【補正の内容】
【特許請求の範囲】
【請求項１】
建物の免震装置を基礎コンクリート上に固定するため円周上に複数個正確に配置されるべきアンカー孔を基礎コンクリートに形成する際に適したアンカー孔の位置決め具であって、
基礎型枠の向き合った部分に架け渡すことができる長さを有する等辺山形鋼又は不等辺山形鋼からなる４本の直線状のプレートと、
当該プレートの下側に筒状のシース管を配置して固定するためのシース管保持具と、
から構成されており、
前記各プレートは、４本の直線状のプレートに形成した複数個のボルト挿通孔によってそれらの平坦な面同士が接するようにして互いに適宜の位置にて井桁状に組み合わせた状態で固定することができ、
異なる大きさの基礎型枠の上に取り付けできるとともに、正方形の４頂点上以外の複数位置を含む円周上、及び、径の異なる他の円周上においても同様に複数個配置されるべきアンカー孔の形成位置にも対応できるように、各プレートの適宜の位置に形成した複数個のボルト挿通孔によって前記シース管保持具を取り付けできることを特徴とするアンカー孔の位置決め具。
【請求項２】
前記各プレートは、互いに直交する状態で固定できるように、その長手方向と直交する面を有する交差ガイドが上方又は下方に突出するように固定されているものであることを特徴とする請求項１に記載のアンカー孔の位置決め具。
【請求項３】
建物の免震装置を基礎コンクリート上に固定するために複数個正確に配置されるべきアンカー孔を基礎コンクリートに形成する際に適したアンカー孔の位置決め具であって、
基礎型枠の向き合った部分に架け渡すことができる長さを有する４本の直線状のプレートと、
当該プレートの下側に筒状のシース管を配置して固定するためのシース管保持具と、
から構成されており、
前記各プレートは、４本の直線状のプレートを互いに適宜の位置にて井桁状に組み合わせた状態で固定することができ、
異なる大きさの基礎型枠の上に取り付けできるとともに、正方形の４頂点上以外の複数位置を含む円周上、及び、径の異なる他の円周上においても同様に複数個配置されるべきアンカー孔の形成位置にも対応できるように、各プレートの適宜の位置に前記シース管保持具を取り付けでき、さらに、
前記シース管保持具は、４枚の板材を十字状又はＸ字状に組み付けることで形成されており、当該板材の外端面にてシース管の内面を支えることができ、かつ、上下方向に配置したボルトによってシース管の下端開口を塞ぐ底板を固定することができるものであることを特徴とするアンカー孔の位置決め具。
【請求項４】
前記シース管保持具は、円盤状のディスクの周囲に形成した切欠に前記板材を嵌め込むことで、４枚の前記板材の外端面が円筒状のシース管の内面と正しく接するように、それらの前記板材を固定しているものであることを特徴とする請求項３に記載のアンカー孔の位置決め具。
【請求項５】
前記シース管保持具は、前記４枚の板材の内端面が互いに接しないように離間して配置されることで、中央部に空間が形成されており、
前記円盤状のディスクは、その中央部に透孔が形成されており、当該透孔及び前記空間に挿通されるボルトによって、シース管の下端開口を塞ぐ底板を固定することができるものであることを特徴とする請求項４に記載のアンカー孔の位置決め具
【請求項６】
前記ボルトは、その上端部側が前記プレートに固定されることで、前記シース管保持具を前記プレートに固定できるものであることを特徴とする請求項３〜５の何れか一項に記載のアンカー孔の位置決め具。
【請求項７】
前記シース管保持具は、シース管の上端開口を塞ぐように、前記各板材の上端に固定した天板を有しており、当該天板は、その中央部に前記ボルトを挿通できる透孔を備えており、かつ、当該天板の上面にスペーサーを備えていることを特徴とする請求項５又は６に記載のアンカー孔の位置決め具。